(57)【要約】  シート部材（１２０）の基部の周りに装着された基部構造物（１１０）；肛門尾骨部位を支持するために、座った利用者の肛門尾骨部位の肛門周囲部分をシャフト本体（１３０）の一部が押すような方法で、上方に傾いた角度でシート部材（１２０）の前端に向かって基部構造物（１１０）から外に伸びるシャフト本体（１３０）を備える肛門尾骨部位支持装置（１００）であって；シャフト本体（１３０）および／または基部構造物は、シャフト本体（１３０）および／または基部構造物（１１０）から後方に下降する１対の傾斜（１５０）の間の中に配置されることを特徴とする肛門尾骨部位支持装置（１００）。【選択図】図１
2013535285.tif 000002
【特許請求の範囲】
【請求項１】
シート部材（１２０）の基部の周りに装着された基部構造物（１１０）；
肛門尾骨部位を支持するために、座った利用者の前記肛門尾骨部位の肛門周囲部分をシャフト本体（１３０）の一部が押すような方法で、前記シート部材（１２０）の前端に向かって前記基部構造物（１１０）から外に伸びる前記シャフト本体（１３０）を備える肛門尾骨部位支持装置（１００）であって；前記シャフト本体（１３０）および／または前記基部構造物は、前記シャフト本体（１３０）および／または前記基部構造物（１１０）から横方向および／または後方に向かって下降する１対の傾斜（１５０）の間の中に配置されることを特徴とする肛門尾骨部位支持装置（１００）。
【請求項２】
前記基部構造物（１１０）は前記シャフト本体（１３０）に向かって先細になっている、請求項１に記載の肛門尾骨部位支持装置（１００）。
【請求項３】
前記傾斜（１５０）は、前記シート部材（１２０）の上に一体化して製作される、請求項１または２に記載の肛門尾骨部位支持装置（１００）。
【請求項４】
前記傾斜（１５０）は、前記肛門尾骨部位支持装置（１００）の上に一体化して製作される、請求項１または２に記載の肛門尾骨部位支持装置（１００）。
【請求項５】
前記シャフト本体（１３０）は、伸縮自在に伸びるまたは引っ込むことができる、請求項１または２に記載の肛門尾骨部位支持装置（１００）。
【請求項６】
前記基部構造物（１１０）は、前記シート部材（１２０）にヒンジで（ｈｉｎｇａｂｌｙ）装着される、請求項１または２に記載の肛門尾骨部位支持装置（１００）。
【請求項７】
前記基部構造物（１１０）は、前記シート部材（１２０）に対して水平面で移動可能である、請求項１または２に記載の肛門尾骨部位支持装置（１００）。
【請求項８】
前記シャフト本体（１３０）は、支持された前記肛門尾骨部位から圧力を受けると、前記シャフト本体（１３０）が下向きに曲がることができるようになる弾性材料から部分的にまたは完全に作られる、請求項１または２に記載の肛門尾骨部位支持装置（１００）。
【請求項９】
前記基部構造物（１１０）は、前記シート部材の上に単一ユニットとして一体化して製作される、請求項１または２に記載の肛門尾骨部位支持装置。
【請求項１０】
前記シート部材（１２０）は、前記シャフト本体（１３０）が中央開口部（１２５）の上方に垂れ下がっている前記中央開口部を備える便座である、請求項１に記載の肛門尾骨部位支持装置。
【発明の詳細な説明】
【技術分野】
【０００１】
本発明は、改善された肛門尾骨支持物に関し、詳細には、肛門尾骨支持物は、排便中に肛門尾骨部分近傍の肛門粘膜の裂傷を防ぐために使用され、開示される発明は、より快適な着座位置をさまざまな臀部サイズの利用者に提供する着座補助器具を備える。
【背景技術】
【０００２】
便秘はわれわれの生活において一般的な問題である。便秘の主な原因の１つが、主にわれわれの食習慣および生活様式に帰することができる固形便の形成に関係がある。固形便は、排便中に力むことを必要とし、それにより、肛門開口部の過伸展により、潜在的に痔核、痔疾または裂肛につながることがある。無理をして腹腔内の圧力を上昇させることはまた、骨盤底を下げる。慢性便秘患者の場合のように骨盤底が繰り返し下がると、骨盤底筋が徐々に弛緩し、たるむ。骨盤底の弛緩およびたるみは、分娩時外傷があった女性の場合、より大きくなる。裂肛は、しっかり治療しなければ、肛門周囲膿症などのより面倒な状態に進行することがある。裂肛は一般に肛門の後ろの４分の１区分で発生する。骨盤底のこの部分の肛門尾骨部分はいかなる骨構造によっても事実上支持されず、したがって、肛門開口部の過伸展は抑制することができないためである。さらに、排便は日常的に行われ、不可避の過程であり、発現した裂肛は連続的に一連の過伸展を受け、治癒過程を飛び越す。したがって、裂肛は治療困難な慢性の医学的状態になり、他の関連する医学的状態まで複雑化することがある。裂肛の発現を避ける、または確立した医学的状態を軽減するために、手術による手段のほかに、特に固形便に対する排便過程を容易にする装置が必要である。
【０００３】
たとえば、特許文献１が、排便を誘発するために物理的刺激を与える便座を開示しており、便秘を和らげて腸内ガスの放出を促進するための効果的な道具としてその便座を特許請求している。便座は、便器上面の部分に重なる一般曲率を有する２つの細長い臀部支持部材を有し、臀部支持部材輪郭の上面の内側は、凹面曲率が臀部支持部材の一般曲率よりも大きな曲率度合いを示すように凹状に輪郭を描く。さらに、２つの臀部支持部材を接続する基部にある１対の突き出ている隆起部分が、排便時に使用される筋肉に圧力を加えて、排便を刺激する。
【０００４】
他の特許文献２が、便座の後方末端中央部位に１対の卵形の突出部を備える便座を提供している。１対の突出部は、利用者の臀筋に繰り返し揺動運動を加え、排便の活性化につながり、糞便の排泄を容易にする。
【０００５】
本発明の発明者であるＣｈｅｗが、特許文献３で肛門尾骨支持物を備える便座を提案した。この支持物は、便座の後部に位置する舌状突出物である。肛門尾骨部分は突出物を押して、排便中に肛門尾骨部分に対して支持的な補強を獲得して、肛門周囲部分の裂傷を防止する。
【先行技術文献】
【特許文献】
【０００６】
【特許文献１】米国特許出願第４２４４０６３号明細書
【特許文献２】米国特許出願第６５８４６２１号明細書
【特許文献３】国際公開第２００８／０２０７５１号パンフレット
【発明の概要】
【発明が解決しようとする課題】
【０００７】
本発明は、利用者の肛門尾骨部分のための、シート部材上に装着される支持装置を提供することを目的とする。支持装置は、特に、糞便の排泄中に後ろの肛門周囲（肛門尾骨）部分を押して、骨盤底下降を防止し、開口部の過伸展により引き起こされる肛門開口部の裂傷を防ぐ。
【０００８】
本発明の他の目的が、利用者の体重を支持するためにさまざまなサイズの骨盤底に対して使用され、かつ合わせることができる肛門尾骨支持装置を開示することである。より詳細には、本発明は、さまざまな骨盤サイズの利用者が、最小の不快感で、開示される装置の上に座ることができるようにする手段を含む。この新たに備わった特徴は、先行出願の特許文献３を改善する、本発明者の継続的な取り組みとして認識することができる。
【課題を解決するための手段】
【０００９】
上記の目的の少なくとも１つが、本発明により全部または一部達成され、本発明では、本発明の実施形態の１つが、シート部材の基部の周りに装着された基部構造物；肛門尾骨部位を支持するために、座った利用者の後部肛門周囲部分で肛門尾骨部位をシャフト本体の一部が押すような方法で、上方に傾いた角度でシート部材の前端に向かって基部から外へ伸びるシャフト本体を備える肛門尾骨部位支持装置であって、シャフト本体および／または基部構造物は、シャフト本体および／または基部構造物から横方向かつ後方に向かって下降する１対の傾斜の間の中に配置されることを特徴とする肛門尾骨部位支持装置である。より好ましくは、基部構造物は、シャフト本体に向かって先細になっている。
【００１０】
審美的理由のため、または開示される装置の格納を容易にするために、開示される装置のシャフト本体は、伸縮自在に伸びるまたは引っ込むことができるように作られてもよい。さらに、開示される発明の基部は、開示される装置を利用者の座った姿勢に最もよく合う位置まで利用者が調節することができるように、シート部材に対して水平面で移動可能であることが好ましい。
【００１１】
利用者が、特に肛門尾骨部位に加えられる大きな圧力が原因で自分を誤って傷つけないように、シャフト本体は、支持される肛門尾骨部位からの圧力が所定のしきい値を超えたときに、シャフト本体が下方に曲がることができるようになる弾性材料から部分的にまたは完全に作られる。
【００１２】
他の好ましい実施形態では、本発明のシート部材は、シャフト本体が中央開口部の上方に垂れ下がっている中央開口部を備える便座を指す。シャフト本体の一部が、排便中に利用者の肛門尾骨部位に接触し、支持する。
【００１３】
好ましくは、シャフト本体は、肛門尾骨部位を支持するために、座った利用者の後部肛門周囲部分の肛門尾骨部位に対して１つの圧迫点を有する。開示される装置が使用中のときに、尾骨の先端が押しつけられて利用者を悩ませることがないような方法で、圧迫点に接触しているシャフト上に、急激な下向きの曲率が形成される。
【図面の簡単な説明】
【００１４】
【図１】便座上に装着されている、開示される肛門尾骨支持装置の一実施形態を示す。
【図２】図１で示される実施形態の上面図を示す。
【図３】利用者が比較的小さな骨盤を有し、利用者の体重を支持するように２つの座骨が互いにより近接しているときに、開示される装置の上に座ると、利用者に加えられる、考えられる不快感を示す。
【図４】シャフト本体の周りに製作された傾斜部分を備える、さまざまなサイズの骨盤を支持する際の、開示される本発明の改善された特徴を示す。
【発明を実施するための形態】
【００１５】
次に、図面を参照して本発明の最も好ましい実施形態について説明する。図面では、同様の参照番号が、同一のまたは機能的に類似する要素を示す。特定の構成および配置が説明されるが、これは例示目的だけのために行われることを理解すべきである。当業者は、本発明の精神および範囲を逸脱することなく、他の構成および配置を使用することができることを理解されよう。
【００１６】
本発明は、シート部材（１２０）の基部の周りに装着された基部構造物（１１０）；肛門尾骨部位を支えるために、座った利用者の会陰の肛門尾骨部位をシャフト本体（１３０）の一部が押すような方法で、好ましくは上方に傾いた角度でシート部材（１２０）の前端に向かって基部構造物（１１０）から外に伸びるシャフト本体（１３０）を備える、図１に示すような肛門尾骨部位支持装置（１００）であって、シャフト本体（１３０）および／または基部構造物は、シャフト本体（１３０）および／または基部構造物（１１０）から横方向および／または後方に向かって下降する１対の傾斜（１５０）の間の中に配置されること特徴とする肛門尾骨部位支持装置（１００）を含む。シャフト本体（１３０）および／または基部構造物（１１０）から下降する傾斜（１５０）は、利用者の、シャフト本体に対して座る位置、特に座る高さを調節するための手段の役割を果たすことに留意することが重要である。図３を参照すると、傾斜または隆起部分（１５０）のない実施形態では、平均的な寸法の骨盤（１０１ａ）を有する利用者が、肛門尾骨部位支持装置（１００）と合体したシート部材（１２０）の上に快適に座ることができる。座った利用者の体重が、シート部材（１２０）に接する座骨（１０２ａ）の上に完全に載ることができるためである。一方、比較的小さな骨盤寸法（１０１ｂ）を有する利用者は、座骨（１０２ｂ）から十分な補強を受けないことがある。座骨は、図３に示すように、シート部材（１２０）の上面に到達することができないためである。むしろ、そのような状況では、利用者の体重は、シャフト本体（１３０）の上方に垂れ下がる尾骨（１０３ｂ）だけにより支えられる。尾骨（１０３ｂ）に加わる圧力が不快感を生じさせる。さらに、利用者は、この不均衡な着座姿勢を適合させ、尾骨の上に重い体重を強いている間に、自分を誤って傷つけることがある。
【００１７】
上述の不快な感覚が発生するのを避けるために、本発明の発明者は、尾骨（１０３）で体重を支えるのではなく、さまざまな骨盤寸法の利用者がシート部材（１２０）の上に快適に載る、好ましくは座骨（１０２）の上に載ることができるようにする手段の役割を果たすように、シャフト本体（１３０）の周りに製作される隆起部分または傾斜（１５０）を考案している。対の座骨間の距離がさらに短くなるとき、垂直平面での対の座骨の長さが、比率の範囲に従って同様にさらに短くなる。本発明は、さまざまな骨盤寸法を有する利用者に適合させることができる隆起部分または傾斜（１５０）を開発する際にこの比率を使用する。次いで、より小さな骨盤を有する利用者が傾斜のより高い領域に座る一方で、より大きな骨盤を有する利用者が傾斜の低い方の部分を捕らえる。しかし、支持部分の一部、または肛門尾骨部分を支持するシャフト本体は、後ろの肛門周囲部分に加えられる圧力が、さまざまな骨盤寸法の利用者に対して好ましい範囲内になるように、ほぼ同じ位置で、後ろの肛門周囲部分を押す。
【００１８】
開示される本発明のより好ましい実施形態によれば、シート部材（１２０）は、図１および図２のように、シャフト本体（１３０）が中央開口部（１２５）の上方に垂れ下がっている中央開口部を備える便座である。以下に述べるように、開示される装置は、好ましくはシート部材（１２０）の後ろの位置または後端に配置される。基部（１１０）は便座の上に取り付けられる一方で、シャフトはシート部材（１２０）の前方または中央に向かって伸びる。開示される装置は、本実施形態では、排便過程中の骨盤底の下降ならびに肛門後部の過伸展および裂傷を防止するのに特に有用である。後ろの肛門周囲部分に加えられる圧力は、裂傷が発生するまで肛門開口部が後方に過伸展しないことを保証する。さらに、この圧力は、直腸への糞便の圧力を高めることにより排便をさらに刺激して、排便のより強い反射作用を生じさせて、糞便排泄をさらに容易にし、無理をして便を肛門から排泄する要求を減らす。本実施形態の便座は、栓穴を隠す位置までカバーを切り換えるときに、傾いて垂れ下がるシャフト本体に合うように、内側の凹状輪郭を有する便座カバーと結合してもよい。裂肛の発現を防止するために便座と合体したほかに、本発明は、会陰切開創傷または自然分娩外傷を防ぐために使用することができる。
【００１９】
図２に示すように、開示される装置（１００）は、平面から認識されたとき、ほぼ三角形の形状に適合される。それにもかかわらず、そのような開示は、開示される本発明を限定する役割を果たすものではない。開示される装置は、裂肛を防止する類似の予防効果を提供するように異なる形状に適合させることができることが従来技術で知られている。たとえば、基部構造物（１１０）は多角形、円形などの形状とすることができる。しかし、好ましくは、基部構造物（１１０）は、シャフト本体（１３０）に向かって先細になっている。そのような設計により、先細のシャフト本体が、皮膚に大きな摩擦を引き起こすことなく臀裂を通してスライドさせることができるが、肛門周囲部分に十分な支持を提供する。シャフト本体は、開示される図面では細長い突出物として図示されているが、実際は、シャフト本体（１３０）は、基部構造物（１１０）から外に分岐したいくつかの突出物、またはその他の突出物から外に分岐した二次突出物を実際に備えてもよい。このとき、これらから得られた突出物のうちの長い１つが、肛門尾骨部分を十分に支持することができる。さらに、他の実施形態では、基部構造物（１１０）は、開示される装置がシート部材（１２０）の上に装着される先端部だけを指すことがあり、開示される装置の残りの部分がシャフト本体（１３０）と解釈される。
【００２０】
他の態様では、シャフト本体（１３０）は、使用されないときに、開示される装置から離しておくために、伸縮自在に伸びるもしくは引っ込むことができる、または折りたたむことさえできる。いかなる制限もなしにそのような特徴を実行するために、任意の公知の方法または公知の機構が本発明で使用されてもよい。
【００２１】
一実施形態によれば、突起部または傾斜（１５０）は、シャフト本体（１３０）から得られるのではなく、シート部材（１２０）の上に一体化して製作される。シャフト本体（１３０）および／または基部構造物（１１０）は、傾斜（１５０）の間の中に配置され、傾斜に対して、おそらく凹所またはへこみが、シャフト本体（１３０）および／または基部構造物（１１０）内に合うように作られる。同様に、他の実施形態が、肛門尾骨部位支持装置（１００）の上に一体化して製作される傾斜（１５０）を有してもよい。
【００２２】
支持肛門尾骨部位への傷を避けるために、支持される肛門尾骨部位から圧力を受けると、シャフト本体（１３０）を下向きに曲げることができる弾性材料から、開示される装置が完全に作られてもよい、またはシャフト本体（１３０）がそうした弾性材料から部分的にまたは完全に作られる。好ましくは、シャフト本体は、加えられた圧力が所定の検査しきい値を超えたときに、下側に曲げられる。曲げられたシャフト本体は、圧力が取り除かれると、その前の位置を回復するものとする。
【００２３】
一実施形態によれば、基部構造物（１１０）は、シート部材の上に単一ユニットとして一体化して製作されるが、基部構造物（１１０）は、シート部材（１２０）上で、開示される装置（１００）の位置を利用者が調節する柔軟性を与えるように、他の実施形態では、シート部材（１２０）に対して移動可能である。たとえば、基部構造物（１１０）は、シート部材（１２０）に対してピボット運動を可能にするように、シート部材（１２０）にヒンジで（ｈｉｎｇａｂｌｙ）装着される。そのほかに、基部構造物（１１０）は、同様にシート部材（１２０）に対して水平面で移動可能になるように作られてもよい。たとえば、基部構造物（１１０）は、シート部材（１２０）上に提供される軌道の上に装着され、軌道に沿って滑ることにより、シート部材（１２０）上での開示される装置（１００）の制限された水平運動を可能にする。さらに他の実施形態では、開示される装置（１００）は、利用者の好みでシート部材（１２０）から取り外すことができる。開示される装置は、使用されないとき、シート部材（１２０）から取り除くことができる。開示される装置をシート部材に取り外し可能に装着することができる任意の公知の機構、たとえばクリップ、クランプ、スナップファスナなどが本発明に適用されてもよい。
【００２４】
本発明は、他の特定の形態で具体化されてもよく、かつ上述の実施形態だけに限定されないことを理解すべきである。しかしながら、開示される概念の修正形態および均等物、たとえば当業者に容易に思い浮かぶものは、本明細書に添付される特許請求の範囲の中に含まれるものとする。
【図１】
2013535285.tif 000003
【図２】
2013535285.tif 000004
【図３】
2013535285.tif 000005
【図４】
2013535285.tif 000006
【国際調査報告】
2013535285.tif 000007
2013535285.tif 000008